(57)【要約】【課題】ステーを張る必要が無く、アンテナを屋根の上に容易に設置でき、低価格で且つ美観上においても優れたアンテナ屋根取付金具を提供する。【解決手段】略長方形に形成した金具本体１１の一方の端部に略Ｚ字状に折り曲げて段差を持たせた屋根取付部１２を設け、他方の端部にマスト仰角調整手段を備えたマスト取付部１３を設ける。段差部の値はアンテナを設置する場所の屋根瓦の厚さに応じて設定する。家屋の屋根にアンテナを設置する場合、受信レベルを調査して屋根上の受信可能な位置を決め、その位置の瓦を数枚取外して野地板に補強板を取付ける。次に金具本体１１の屋根取付部１２を補強板上に取付けた後、取外した瓦を元の位置に戻す。次にマスト１７が地面に対して垂直となるようにマスト取付部１３の仰角調整機能により調整した後、マスト１７の上端部にアンテナを取付金具により取付け、アンテナの方向を調整して設置を終了する。【選択図】図２
2011064038.tif 000002
【特許請求の範囲】
【請求項１】
金属板により略長方形に形成された金具本体と、前記金具本体の一方の端部に該金具本体の中央部より所定距離低くなるように段差を持たせて形成された屋根取付部と、前記金具本体の他方の端部に設けられ、アンテナ取付用のマストを保持すると共に該マストの仰角調整手段を備えたマスト取付部とを具備することを特徴とするアンテナ屋根取付金具。
【請求項２】
請求項１に記載のアンテナ屋根取付金具を用いて家屋の屋根にアンテナを取付けるアンテナの屋根取付方法において、
前記屋根におけるアンテナ取付位置の既存の瓦を取外し、該取外した瓦の下にある野地板に補強板を装着し、該補強板に前記アンテナ屋根取付金具を構成する金具本体の屋根取付部を取付けた後、前記取外した瓦を元の位置に戻し、前記金具本体のマスト取付部に取付けられているマストの仰角を前記マスト取付部が備えた仰角調整手段により最適値に調整すると共に前記マストにアンテナを取付けることを特徴とするアンテナの屋根取付方法。
【発明の詳細な説明】
【技術分野】
【０００１】
本発明は、例えば地上放送波、通信等に使用されるアンテナを一般家屋の屋根に取付けるためのアンテナ屋根取付金具及び該アンテナ屋根取付金具を用いたアンテナの屋根取付方法に関する。
【背景技術】
【０００２】
一般家庭において、アナログテレビ放送を受信する場合、ＶＨＦ用アンテナやＵＨＦ用アンテナを屋根の上などに設置している。アンテナを屋根の上に設置する場合、従来では屋根馬を使用し、この屋根馬にアンテナマストを立ててアンテナを取付け、更にアンテナマストに対して複数本のステーを張ることによりアンテナを強固に保持している（例えば、特許文献１参照。）。
【０００３】
また、近年では、２００３年１２月から関東、近畿及び中京広域圏で地上デジタル（テレビジョン）放送（ＩＳＴＢ−Ｔ：Terrestrial Integrated Services Digital Broadcasting）放送が開始され、２００６年にはその他の地域でも放送が開始されている。
【０００４】
上記地上デジタル放送は、従来のアナログ放送と異なり、ゴースト／ビートの発生がなく、所謂Ｃ／Ｎ（carrier to noise ratio）を満足することで良好な画像が得られる。
【０００５】
上記地上デジタル放送はＵＨＦ帯の電波を使用しているので、各家庭で地上デジタル放送を受信するにはＵＨＦ用アンテナを設置する必要があり、ＵＨＦ用アンテナを屋根の上に設置する場合には、上記アナログ放送を受信する場合と同様に屋根馬を使用している。
【先行技術文献】
【特許文献】
【０００６】
【特許文献１】実開昭６２−２０１５０５号公報
【発明の概要】
【発明が解決しようとする課題】
【０００７】
一般家庭においてテレビ放送受信用のアンテナを屋根の上に設置する場合、従来では屋根馬を利用してアンテナを取付けているので、アンテナの位置が高くなり、家屋から極端に突出した状態となって美観を損ねていた。また、ステーを張る必要があるので、施工に時間が掛かると共に施工する人も複数必要であり、施工効率が悪いという問題があった。更に、屋根馬やステー及びステー金具などの複数の部材が必要であり、価格的にも高価になるという問題があった。
【０００８】
本発明は上記の課題を解決するためになされたもので、ステーを張る必要が無く、アンテナを屋根の上に容易に設置でき、低価格で且つ美観上においても優れたアンテナ屋根取付金具及びアンテナの屋根取付方法を提供することを目的とする。
【課題を解決するための手段】
【０００９】
第１の発明に係るアンテナ屋根取付金具は、金属板により略長方形に形成された金具本体と、前記金具本体の一方の端部に該金具本体の中央部より所定距離低くなるように段差を持たせて形成された屋根取付部と、前記金具本体の他方の端部に設けられ、アンテナ取付用のマストを保持すると共に該マストの仰角調整手段を備えたマスト取付部とを具備することを特徴とする。
【００１０】
第２の発明は、前記第１の発明に係るアンテナ屋根取付金具を用いて家屋の屋根にアンテナを取付けるアンテナの屋根取付方法において、前記屋根におけるアンテナ取付位置の既存の瓦を取外し、該取外した瓦の下にある野地板に補強板を装着し、該補強板に前記アンテナ屋根取付金具を構成する金具本体の屋根取付部を取付けた後、前記取外した瓦を元の位置に戻し、前記金具本体のマスト取付部に取付けられているマストの仰角を前記マスト取付部が備えた仰角調整手段により最適値に調整すると共に前記マストにアンテナを取付けることを特徴とする。
【発明の効果】
【００１１】
本発明によれば、屋根馬を用いずに家屋の屋根にアンテナを取付けることができ、また、マストにステーを張る必要が無いので一人での作業が可能となり、且つ屋根上の突起物を少なくでき、美観上においても優れたものとすることができる。また、屋根馬を使用する場合に比較して使用する部材の種類を少なくでき、価格の低下を図ることができる。
【図面の簡単な説明】
【００１２】
【図１】本発明の実施例１に係るアンテナ屋根取付金具の構成例を示し、（ａ）は正面図、（ｂ）は側面図、（ｃ）は上面図である。
【図２】（ａ）は図１におけるマストとアンテナ屋根取付金具とを分離した状態を示す斜視図、同図（ｂ）はマストをアンテナ屋根取付金具に取付けた状態を示す斜視図である。
【図３】同実施例１に係るアンテナ屋根取付金具を用いて家屋の屋根にアンテナを設置する場合の例を示し、（ａ）は家屋の屋根に補強板を取付けた状態を示す斜視図、（ｂ）は補強板にアンテナ屋根取付金具を取付けた状態を示す斜視図、（ｃ）はアンテナ屋根取付金具に装着したマストにアンテナを取付けた状態を示す斜視図である。
【図４】本発明の実施例２に係るアンテナ屋根取付金具の構成例を示す分解斜視図である。
【図５】同実施例２に係るアンテナ屋根取付金具にマストを取付けた状態を示す斜視図である。
【発明を実施するための形態】
【００１３】
以下、本発明の実施の形態について図面を参照して詳細に説明する。
【実施例１】
【００１４】
図１は本発明の実施例１に係るアンテナ屋根取付金具１０Ａの構成例を示したもので、（ａ）は正面図、（ｂ）は側面図、（ｃ）は上面図である。図２（ａ）は図１におけるマストとアンテナ屋根取付金具１０Ａとを分離した状態を示す斜視図、同図（ｂ）はマストをアンテナ屋根取付金具１０Ａに取付けた状態を示す斜視図である。
【００１５】
図１及び図２において、１１は金属板により略長方形状に形成された金具本体で、一方の端部に屋根取付部１２が設けられ、他方の端部にマスト取付部１３が設けられる。上記金具本体１１は、例えば全長Ｌが約２７０〜２９０ｍｍ、幅Ｗが約５０〜６０ｍｍに設定される。上記屋根取付部１２は、金具本体１１の先端部が略Ｚ字状に折り曲げられて段差を持つように形成され、金具本体１１の中央部より所定の値Ｄだけ低い位置に設けられる。上記段差部の値Ｄは、アンテナを設置する場所の屋根瓦の厚さに応じて設定されるもので、例えば約３５ｍｍに設定される。上記屋根取付部１２には、複数例えば４つの取付穴１４が設けられる。
【００１６】
上記マスト取付部１３は、両側部が上方に折り曲げられて略コの字形に形成され、上方に折り曲げた両側面の間隔は取付けるマスト１７の直径よりやや大きい値に設定される。マスト取付部１３の両側面には、上部中央にネジ挿通穴１５が設けられると共に下部中央から前端方向に向かって円弧状の溝１６が設けられる。
【００１７】
一方、上記マスト取付部１３に取付けるマスト１７には、図２（ａ）に示すように下端部にネジ穴１９ａ、１９ｂが上下に所定の間隔を保って設けられる。上記ネジ穴１９ａ、１９ｂは、上記マスト取付部１３の両側面に設けられたネジ挿通穴１５及び溝１６に対応する位置に設けられる。
【００１８】
そして、上記マスト取付部１３にマスト１７の下端部を位置させ、マスト取付部１３の両側面に設けたネジ挿通穴１５及び溝１６からマスト１７に設けたネジ穴１９ａ、１９ｂにネジ２１ａ、２１ｂ、２２ａ、２２ｂを螺着してマスト１７を取付ける。この場合、ネジ２１ａ、２１ｂ、２２ａ、２２ｂを緩めることにより、マスト１７はネジ２１ａ、２１ｂを中心軸として前後方向に回動可能となり、ネジ２２ａ、２２ｂが溝１６内を移動する範囲例えば約４５°の範囲で仰角を調整することができる。マスト取付部１３は、上記のようにマスト仰角調整機能を備えた構成となっている。
【００１９】
上記マスト取付部１３の底部からマスト１７の上端までの高さＨは、マスト１７の高さによって異なるが例えば約４００〜５００ｍｍに設定される。
【００２０】
次に上記アンテナ屋根取付金具１０Ａを用いて家屋の屋根にアンテナを取付ける場合について説明する。
【００２１】
図３はアンテナ屋根取付金具１０Ａを用いて家屋の屋根にアンテナを設置する場合の例を示したもので、（ａ）は家屋の屋根に補強板を取付けた状態を示す斜視図、（ｂ）は上記補強板にアンテナ屋根取付金具１０Ａを取付けた状態を示す斜視図、（ｃ）はアンテナ屋根取付金具１０Ａに装着したマストにアンテナを取付けた状態を示す斜視図である。
【００２２】
先ず、事前に受信レベルを調査し、家屋の屋根３１における受信可能な位置、例えば局方向側の±９０度の位置を決め、図３（ａ）に示すようにその受信可能位置における例えば平瓦や和瓦等の既存の瓦３２を数枚例えば２〜３枚程度取外し、瓦３２の下の野地板３３に例えば木製の補強板３４を複数本の木ネジ３５により取付ける。図３（ａ）において、矢印ａは屋根３１の傾斜方向を示し、矢印ｂは電波到来方向を示している。
【００２３】
次に図３（ｂ）に示すようにアンテナ屋根取付金具１０Ａにおける金具本体１１の屋根取付部１２を補強板３４上に載置し、取付穴１４から木ネジを挿入して補強板３４上にネジ止めする。このときアンテナ屋根取付金具１０Ａの金具本体１１は、屋根取付部１２を除く部分が補強板３４より下方（雨樋方向）の瓦３２上に位置する。また、上記補強板３４を固定するネジ部には、コーキングやパッキング等により防水処理を施す。
【００２４】
次に図３（ｃ）に示すように上記取外した瓦３２を元の位置に戻す。このとき元の位置に戻した瓦３２とアンテナ屋根取付金具１０Ａが干渉する場合には、瓦３２を削って干渉が生じないように処理する。また、アンテナ屋根取付金具１０Ａと瓦３２との間は、防水処理を施す。
【００２５】
そして、屋根３１の斜度に合わせ、マスト１７が地面に対して垂直となるように仰角調整機能により調整する。すなわち、マスト取付部１３におけるネジ２１ａ、２１ｂ、２２ａ、２２ｂによる締付けを緩め、マスト１７の仰角を最適位置に調整し、すなわち、マスト１７が地面に対して垂直となるように調整し、その後、ネジ２１ａ、２１ｂ、２２ａ、２２ｂを締め付けてマスト１７の位置を固定する。更にマスト１７の上端部に地上デジタル放送受信用のアンテナ３８を取付金具３９により取付け、アンテナ３８の方向を電波到来方向に調整する。
【００２６】
以上で屋根３１の上にアンテナ３８を設置する工事を終了する。
【００２７】
上記アンテナ屋根取付金具１０Ａを使用することにより、屋根馬を用いずに家屋の屋根にアンテナを取付けることができ、また、マスト１７にステーを張る必要が無いので一人での作業が可能となる。更に屋根馬を使用せずにアンテナ３８を設置できるので、屋根上の突起物を少なくでき、美観上においても優れ、且つ屋根馬を使用する場合に比較して使用する部材の種類を少なくでき、価格の低下を図ることができる。
【００２８】
なお、上記実施例１では、補強板３４として木製のものを使用した場合について示したが、例えば金属や合成樹脂等の他の部材を使用することも可能である。
【実施例２】
【００２９】
次に本発明の実施例２に係るアンテナ屋根取付金具について説明する。
【００３０】
図４は本発明の実施例２に係るアンテナ屋根取付金具１０Ｂの構成例を示す分解斜視図、図５はアンテナ屋根取付金具１０Ｂにマスト１７を取付けた状態を示す斜視図である。
【００３１】
この実施例２に係るアンテナ屋根取付金具１０Ｂは、実施例１に係るアンテナ屋根取付金具１０Ａにおいて、マスト取付部１３を金具本体１１から分離して設けると共に、該マスト取付部１３を金具本体１１に対して回転可能に取付け、アンテナ方向を略１８０°の範囲で調整できるように構成したものである。その他の構成は実施例１に係るアンテナ屋根取付金具１０Ａと同様の構成であるので、同一部分には同一符号を付して詳細な説明は省略する。
【００３２】
金具本体１１は、マスト取付け側の端部４１を略Ｚ字状に折曲げて中央部の位置より少し高く形成し、上記マスト取付け側の端部４１に半径の異なる２つの円弧状の溝４２ａ、４２ｂを対向するように設けている。
【００３３】
また、マスト取付部１３は、略コの字形に形成され、その底面１３ａに２つのボルト挿通穴が設けられる。この２つのボルト挿通穴は、上記マスト取付け側の端部４１に設けられた２つの円弧状の溝４２ａ、４２ｂに対応する位置に設けられる。
【００３４】
上記マスト取付部１３を金具本体１１のマスト取付け側の端部４１上に載置し、円弧状の溝４２ａ、４２ｂ及びマスト取付部１３の底面１３ａに設け２つのボルト挿通穴に下側からボルト４３ａ、４３ｂを挿入し、その上端にナット４４ａ、４４ｂを螺着する。上記ボルト４３ａ、４３ｂ及びナット４４ａ、４４ｂを緩めた状態では、マスト取付部１３を略１８０°の範囲、すなわちボルト４３ａ、４３ｂが円弧状の溝４２ａ、４２ｂ内を移動できる範囲でマスト取付部１３を回転させて位置を調整することが可能である。
【００３５】
上記マスト取付部１３には、マスト１７がネジ２１ａ、２１ｂ、２２ａ、２２ｂにより取付けられる。また、マスト１７の上端には、実施例１の図３に示したようにアンテナ３８が取付金具３９により取付けられる。
【００３６】
上記アンテナ屋根取付金具１０Ｂを使用することにより、実施例１の場合と同様に屋根馬を使用することなく家屋の屋根にアンテナを取付けることができる。上記実施例２に係るアンテナ屋根取付金具１０Ｂでは、金具本体１１に対してマスト取付部１３が回転可能に装着されているので、アンテナの取付金具３９がアンテナ３８の方向を調整できない構造のものであっても、マスト１７を回転させてアンテナ３８の方向を略１８０°の範囲で調整することができる。方向調整後は、ボルト４３ａ、４３ｂ及びナット４４ａ、４４ｂを締め付けて金具本体１１に対するマスト取付部１３の位置を固定する。
【００３７】
なお、本発明は、上記実施の形態そのままに限定されるものではなく、実施段階ではその要旨を逸脱しない範囲で構成要素を変形して具体化できるものである。
【符号の説明】
【００３８】
１０Ａ、１０Ｂ…アンテナ屋根取付金具、１１…金具本体、１２…屋根取付部、１３…マスト取付部、１３ａ…マスト取付部の底面、１４…取付穴、１５…ネジ挿通穴、１６…円弧状の溝、１７…マスト、１９ａ、１９ｂ…ネジ穴、２１ａ、２１ｂ、２２ａ、２２ｂ…ネジ、３１…屋根、３２…瓦、３３…野地板、３４…補強板、３５…木ネジ、３８…アンテナ、３９…取付金具、４１…金具本体のマスト取付け側端部、４２ａ、４２ｂ…円弧状の溝、４３ａ、４３ｂ…ボルト、４４ａ、４４ｂ…ナット。
【図１】
2011064038.tif 000003
【図２】
2011064038.tif 000004
【図３】
2011064038.tif 000005
【図４】
2011064038.tif 000006
【図５】
2011064038.tif 000007